(57)【要約】      （修正有）【課題】  自動時刻設定手段において、垂直帰線消去期間にある時刻データの取得に失敗した場合は、ＯＳＤ画面に自動的に遷移させることにより、操作性の向上をはかるとともに、時刻計時手段の計時時刻の較正（修正）を適確に行えるようにしたテレビジョン受信装置を提供する。【解決手段】  自動時刻設定部２１のマニュアル選局受信モードによる自動時刻設定処理で、設定入力した選局データのテレビジョン放送についてＥＤＳ信号の時間信号による自己データの取得に失敗した場合には、自動時刻設定モードにおける選局受信データの設定変更が可能な状態に強制的に遷移し、メニュー遷移モードを終了する。また、自動時刻設定部２１の自動選局受信モードによる自動時刻設定処理で、時間信号による時刻データの取得に失敗した場合には、マニュアル時刻設定モードに強制的に遷移し、メニュー遷移モードを終了する。【選択図】  図１
2005159458.tif 000002
【特許請求の範囲】
【請求項１】
テレビジョン放送を選局受信する選局受信手段と、該選局受信手段により選局受信されたテレビジョン放送の放送映像を表示する表示手段と、現在時刻を計時する時刻計時手段と、前記選局受信手段によって選局受信されたテレビジョン放送の放送映像信号の垂直帰線消去期間に付加されている付加信号の時間信号により、時刻データを取得する時刻データ取得手段と、前記選局受信手段による選局受信モードを指定して、該時刻データ取得手段により取得される時刻データに基づき前記時刻計時手段の計時時刻を自動設定する自動時刻設定手段とを備えたテレビジョン受信装置であって、
前記時刻データ取得手段による時刻データの取得失敗を受けて、前記自動時刻設定手段が前記時刻計時手段の計時時刻の自動設定に失敗した場合には、当該指定された選局受信モードに応じて、前記表示手段に前記自動時刻設定手段の作動メニュー、又は前記時刻計時手段の計時時刻のマニュアル設定を案内表示させる対策制御手段を
備えていることを特徴とするテレビジョン受信装置。
【請求項２】
前記自動時刻設定手段が指定する選局受信モードは、マニュアル設定された選局受信データのテレビジョン放送を受信するマニュアル選局受信モードと、受信可能なテレビジョン放送を順次自動選局して受信する自動選局受信モードとからなり、前記対策制御手段は、前記自動時刻設定手段がマニュアル選局受信モードで前記時刻計時手段の計時時刻の自動設定に失敗した場合には前記表示手段に前記自動時刻設定手段の作動メニューを案内表示し、自動選局受信モードで前記時刻計時手段の計時時刻の自動設定に失敗した場合には前記表示手段に前記時刻計時手段の計時時刻のマニュアル設定を案内表示させる
ことを特徴とする請求項１記載のテレビジョン受信装置。
【請求項３】
前記対策制御手段は、前記自動時刻設定手段の作動メニューの案内表示として、マニュアル選局受信モードの選局受信データの設定変更、又は自動選局受信モードの指定を案内表示させる
ことを特徴とする請求項２記載のテレビジョン受信装置。
【請求項４】
前記対策制御手段の作動を許可・禁止する制限手段を備えている
ことを特徴とする請求項１〜３いずれかに記載のテレビジョン受信装置。
【発明の詳細な説明】
【技術分野】
【０００１】
本発明は、放送映像信号の垂直帰線消去期間における付加信号の時間信号に基づいて、内蔵する時刻計時手段の計時時刻を自動設定する自動時刻設定手段を備えたテレビジョン受信装置に関する。
【背景技術】
【０００２】
従来、テレビジョン受信機やビデオテープレコーダ等のテレビジョン受信機能を備えたテレビジョン受信装置には、予め設定した所望時刻になったならば装置を自動的に起動又は停止させる等のために、時刻計時手段が備えられている。この種の時刻計時手段を備えたテレビジョン受信装置では、装置自体のイニシャルセットアップ時に、チャンネル設定等とともに、その時刻計時手段の計時時刻、すなわち現在時刻の設定を行うようになっている。
【０００３】
この時刻計時手段を備えたテレビジョン受信装置の中には、放送映像信号（テレビ信号）の垂直帰線消去期間における付加信号の時間信号を受信して、時刻計時手段の計時時刻をこの付加信号の時間信号に基づいて自動設定する自動時刻設定手段を備えたものがあり、現在時刻の正確な設定が自動的に行えるようになっている。
【０００４】
そして、上述したテレビ信号の垂直帰線消去期間における付加信号の例としては、米国で実施されていているＥＤＳ（Extended Data Service）信号、ドイツ等で実施されていているＶＰＳ（Video Program System）信号、オランダ等で実施されていているＰＤＣ（Program Delivery Control）信号、等が挙げられる。
【０００５】
例えば、ＥＤＳ信号の場合、放送映像信号における偶数フィールドの垂直帰線消去期間の２１番目の水平同期信号に重畳され、１偶数フィールド当たり、スタートビットを含めて１７ビットのデータを送信できる構成になっている。したがって、ＥＤＳ信号は、１偶数フィールド当たりのデータ部分が２バイトあり、この１バイト毎に１文字コードが割り当てられ、かつパリティビットが設けられている。
【０００６】
このＥＤＳ信号では、情報データの送信に当たって、まず１偶数フィールド当たりのデータ部分を使用してコントロールコード（１バイト）とタイプコード（１バイト）とを送信し、この両コードにより、次以降の１偶数フィールド当たりのデータ部分（２バイト）を使用して送信する情報データの種類を決定する構成になっている。このコントロールコード及びタイプコードは、例えば情報データとして時刻データを送信する場合は、その情報データがグリニッジ時間の時刻データであることを表わす［０７ｈ，０１ｈ］、又はその情報データがグリニッジ時間に対する当地の地域時間差や夏時間の有無を示した地域時間データであることを表わす［０７ｈ，０４ｈ］であり、情報データとして放送局（チャンネル）情報データを送信する場合は、放送局名やチャンネル番号を表わす［０５ｈ，０２ｈ］である、等といった具合に、送信する情報データの種類によって予め規定されている。そして、このＥＤＳ信号では、このコントロールコード及びタイプコードによって送信する情報データの種類を決定した後、次以降の１偶数フィールド当たりのデータ部分を使用して、その情報データを予め規定された仕様（バイト数、書式等）で送信する構成になっている。また、このＥＤＳ信号では、この情報データの送信終了時には、その次の１偶数フィールド当たりのデータ部分を使用して、“送信終了”を示すコントロールコード［０Ｆｈ］を送信する構成になっている。
【０００７】
具体的には、ＥＤＳ信号の時間信号は、［０７ｈ，０１ｈ］−［分，時］−［日，月］−［曜，年］−［ＯＦｈ，Checksumキャラクタ］の、計１０バイト（５個の偶数フィールドのデータ分＝５フレーム分）で構成され、その中の「月」データの６ビット目（データ“ｂ0”〜“ｂ7”の中の“ｂ5”）は、その時間信号の「秒」が“００秒”丁度であるか否かを示す秒リセットフラグ（いわゆる“Ｚ”ビット）になっている。
【０００８】
そして、テレビジョン受信装置の自動時刻設定手段は、このＥＤＳ信号の時間信号を取得して、これをもとに正確な現在時刻を時刻計時手段に自動的に設定する。
【０００９】
ところで、テレビジョン受信装置に備えられた時刻計時手段は、イニシャルセットアップ時に自動時刻設定手段によって現在時刻の設定が行われた後も、計時時刻（現在時刻）の較正（修正）が度々必要である。
【００１０】
そこで、この時刻計時手段を備えたテレビジョン受信装置では、上記説明した自動時刻設定手段を、イニシャルセットアップ時や、停電等による時刻計時手段の計時時刻データの消失時等だけではなく、それ以外の時も適宜作動させることによって、放送映像信号の垂直帰線消去期間における付加信号の時間信号を取得して、時刻計時手段が常に正確な現在時刻を計時することができるように較正（修正）している。
【特許文献１】特開平８−１１６４９５号公報
【特許文献２】特開平９−７３６８４号公報
【特許文献３】特開平８−１２９０８３号公報
【特許文献４】特開平８−１４９４２９号公報
【発明の開示】
【発明が解決しようとする課題】
【００１１】
この自動時刻設定手段を作動させる場合の一例として、ユーザが、テレビジョン受信装置のリモコン操作装置を操作して操作メニュー設定モードにし、放送映像画面に代わって表示部に表示されるＯＳＤ（On Screen Display）画面の指示にしたがってリモコン操作装置を適宜操作し、自動時刻設定手段を作動させる場合がある。
【００１２】
そして、このようにして自動時刻設定手段を作動させる場合には、放送映像信号の垂直帰線消去期間における付加信号の時間信号を取得するに際して、ユーザは、時間信号を放送映像信号の垂直帰線消去期間における付加信号で送信しているテレビジョン放送の選局受信方法について、マニュアル選局受信モードとオート選局受信モードとの中から、いずれか一方の選局受信モードを選択設定するようになっている。
【００１３】
ここで、マニュアル選局受信モードは、時間信号を放送映像信号の垂直帰線消去期間における付加信号で送信しているテレビジョン放送のチャンネルをユーザが予め知っている場合に、ユーザがそのチャンネルを設定入力し、当該設定入力したチャンネルのテレビジョン放送の放送映像信号から付加信号で送信される時間信号を取得するもので、自動時刻設定において、次に説明するオート選局受信モードに比し、付加信号の時間信号の取得にかかる時間の短縮がはかれるものである。
【００１４】
これに対し、オート選局受信モードは、時間信号を放送映像信号の垂直帰線消去期間における付加信号で送信しているテレビジョン放送のチャンネルをユーザが予め知らない場合等に、受信可能なテレビジョン放送を自動的に探索して受信する自動選局受信機能を利用して、受信可能なテレビジョン放送を順次探索して選局受信し、その選局受信毎に、当該選局受信したテレビジョン放送の放送映像信号の垂直帰線消去期間に付加信号が付加されているか否か、また付加されている場合にはこの付加信号として時間信号が送信されているか否かを確認しながら、付加信号で時間信号を送信しているテレビジョン放送のチャンネルを自動選局してその時刻データを取得するものである。
【００１５】
しかしながら、ユーザが選択したいずれかの選局受信モードに対応して自動時刻設定手段が作動した場合であっても、当該ユーザが設定入力したテレビジョン放送の垂直帰線消去期間に付加信号の時間信号が無かったり、全ての受信可能なテレビジョン放送の垂直帰線消去期間に付加信号の時間信号が無かったりした等の理由によって、自動時刻設定手段は時刻データの取得に失敗する場合がある。
【００１６】
このように付加信号の時間信号に基づく時刻データの取得に失敗した場合は、この後、適切なメニューのＯＳＤ画面に遷移させないと、ユーザにとっては操作性が悪く、不便である。さらに、時刻計時手段の計時時刻も正確な現在時刻に較正（修正）されないままとなるため、予め設定した所望時刻になっても、装置を自動的に正確に作動又は停止させることができなくなってしまう。
【００１７】
本発明は、自動時刻設定手段を作動させても、例えばＥＤＳ信号等のテレビジョン放送の垂直帰線消去期間における付加信号の時間信号に基づく時刻データの取得に失敗した場合は、適切な対策メニューのＯＳＤ画面に自動的に遷移させることにより、ユーザの操作性の向上をはかるとともに、時刻計時手段の計時時刻の較正（修正）を適確に行えるようにしたテレビジョン受信装置を提供することを目的とする。
【課題を解決するための手段】
【００１８】
本発明のテレビジョン受信装置は、テレビジョン放送を選局受信する選局受信手段と、該選局受信手段により選局受信されたテレビジョン放送の放送映像を表示する表示手段と、現在時刻を計時する時刻計時手段と、前記選局受信手段によって選局受信されたテレビジョン放送の放送映像信号の垂直帰線消去期間に付加されている付加信号の時間信号により、時刻データを取得する時刻データ取得手段と、前記選局受信手段による選局受信モードを指定して、該時刻データ取得手段により取得される時刻データに基づき前記時刻計時手段の計時時刻を自動設定する自動時刻設定手段とを備えたテレビジョン受信装置であって、前記時刻データ取得手段による時刻データの取得失敗を受けて、前記自動時刻設定手段が前記時刻計時手段の計時時刻の自動設定に失敗した場合には、当該指定された選局受信モードに応じて、前記表示手段に前記自動時刻設定手段の作動メニュー、又は前記時刻計時手段の計時時刻のマニュアル設定を案内表示させる対策制御手段を備えていることを特徴とする。
【００１９】
また、本発明のテレビジョン受信装置では、前記自動時刻設定手段が指定する選局受信モードは、マニュアル設定された選局受信データのテレビジョン放送を受信するマニュアル選局受信モードと、受信可能なテレビジョン放送を順次自動選局して受信する自動選局受信モードとからなり、前記対策制御手段は、前記自動時刻設定手段がマニュアル選局受信モードで前記時刻計時手段の計時時刻の自動設定に失敗した場合には前記表示手段に前記自動時刻設定手段の作動メニューを案内表示し、自動選局受信モードで前記時刻計時手段の計時時刻の自動設定に失敗した場合には前記表示手段に前記時刻計時手段の計時時刻のマニュアル設定を案内表示させることを特徴とする。
【００２０】
また、本発明のテレビジョン受信装置では、前記対策制御手段は、前記自動時刻設定手段の作動メニューの案内表示として、マニュアル選局受信モードの選局受信データの設定変更、又は自動選局受信モードの指定を案内表示させることを特徴とする。
【００２１】
さらに、本発明のテレビジョン受信装置では、前記対策制御手段の作動を許可・禁止する制限手段を備えていることを特徴とする。
【発明の効果】
【００２２】
本発明のテレビジョン受信装置は、自動時刻設定手段がテレビジョン放送の垂直帰線消去期間における付加信号の時間信号に基づく時刻データの取得に失敗した場合であっても、その自動時刻設定処理の選局受信モードの種類に対応させて、適切な対策メニューのＯＳＤ画面に自動的に遷移させることができるので、ユーザの操作性の向上がはかれるとともに、便利である。
【００２３】
また、ユーザは、対策メニューのＯＳＤ画面にしたがって、時刻計時手段の計時時刻の較正（修正）を適確に行えるので、時刻計時手段の計時時刻が正確な現在時刻に較正（修正）されないままとなってしまうことを防止でき、予め設定した所望時刻になっても、装置を自動的に正確に作動又は停止させることができなくなってしまうことを防ぐことができる。
【発明を実施するための最良の形態】
【００２４】
以下、本発明のテレビジョン受信装置の一実施の形態について、図面とともに説明する。
図１は、本発明の一実施の形態としてのテレビジョン受信機の構成を示すブロック図である。
図において、本実施の形態のテレビジョン受信機１は、アンテナ２、チューナ３、中間周波数信号増幅手段４、検波手段５、映像音声処理手段６、出力手段７、ディスプレイ８、スピーカ９、ＥＤＳ信号取得手段１０、時刻計時手段１１、ＯＳＤ信号生成手段１２、ＯＳＤ信号合成手段１３、Ｒ／Ｃ信号（リモコン信号）受信手段１４、制御手段２０、及びリモコン操作装置３０を備えて構成されている。
【００２５】
チューナ３は、アンテナ１で受信したテレビジョン放送の放送信号と、制御手段１１から供給される選局制御信号に基づいて生成される局部発振信号とを図示せぬミキサ部によって混合し、所望チャンネルのテレビジョン放送の中間周波数信号を生成して出力する。
中間周波数信号増幅手段４は、チューナ３から供給される中間周波数信号を増幅して出力する。
【００２６】
検波手段５は、この所望チャンネルの増幅された中間周波数信号から放送映像信号（この場合、輝度信号、搬送色信号、及び同期信号を複合したテレビ信号）及び音声中間周波数信号を取り出す。検波手段５により取り出された放送映像信号は、映像音声処理手段６に音声中間周波数信号とともに供給される一方、ＥＤＳ信号取得手段１０にも供給される。
【００２７】
映像音声処理手段６は、放送映像信号を輝度信号，搬送色信号，同期信号に分離し、その復調部によって搬送色信号から色差信号（Ｒ-Ｙ信号，Ｂ-Ｙ信号，Ｇ-Ｙ信号）を再生し、その同期回路部によって同期信号を水平同期信号と垂直同期信号とに分離する。そして、映像音声処理手段６は、この再生した各色差信号（Ｒ-Ｙ信号，Ｂ-Ｙ信号，Ｇ-Ｙ信号）に輝度信号をそれぞれ加算して、ＲＧＢ信号からなる表示信号を生成して出力する。さらに、映像音声処理手段６は、音声中間周波数信号から周波数変調された音声信号を取り出して音声ＦＭ検波を行って音声信号を再生して制御出力する。
【００２８】
映像音声処理手段６から出力されたＲＧＢ信号からなる表示信号、及び水平／垂直同期信号は、後述するＯＳＤ信号合成手段１３を介して、出力手段７のディスプレイ８に供給され、ディスプレイ８の例えばＬＣＤ（Liquid Crystal Display），ＣＲＴ（Cathode Ray Tube），ＰＤＰ（Plasma Display Panel），ＥＬＤ（Electro Luminescence Display）等といった表示素子の画面上に表示される。また、映像音声処理手段６から制御出力された音声信号は、出力手段７のスピーカ９に供給され、音声出力される。
【００２９】
ＥＤＳ取得回路１０は、放送映像信号からその垂直帰線消去期間に多重化されて付加されている前述のＥＤＳ信号を取得し、取得したＥＤＳ信号を制御手段２０に供給する。
時刻計時手段１１は、予め設定した所望時刻になったならば装置を自動的に作動又は停止させる等のために、現在時刻を計時する。
【００３０】
ＯＳＤ信号生成手段１２は、後述する制御手段２０からの制御信号に基づいて、後述のリモコン操作装置３０に設けられた各種操作スイッチ３１の操作に対応させて、次操作情報やその設定／指示内容等の各種情報を報知するためにＲＧＢ信号からなる表示信号（ＯＳＤ信号）を生成し、ＯＳＤ信号合成手段１３に出力する。
【００３１】
ＯＳＤ信号合成手段１３は、後述する制御手段２０からの制御信号に基づいて、ＯＳＤ信号生成手段１２によってリモコン操作装置３０の各種操作スイッチ３１の操作に合わせて適宜生成されたＯＳＤ信号を、映像音声処理手段６から供給される表示信号に代えてディスプレイ８に供給したり、又は映像音声処理手段６から供給される表示信号に合成してディスプレイ８に供給したりする。
【００３２】
制御手段２０は、Ｒ／Ｃ信号受信手段１４を介して受信されるリモコン操作装置３０から発信される各種操作スイッチ３１の操作に対応したＲ／Ｃ信号に基づき、チューナ３，映像音声処理手段６，時刻計時手段１１，ＯＳＤ信号生成手段１２，ＯＳＤ信号合成手段１３等といったテレビジョン受信機１の各部の作動を制御する。制御手段２０は、ＣＰＵ，ＲＯＭ，ＲＡＭ等を備えたマイクロコンピュータによって構成され、自動時刻設定部２１，選局制御部２２，及びＥＤＳ信号取得手段制御部２３、等として機能する。
【００３３】
リモコン操作装置３０は、テレビジョン受信機１の各種操作を設定／指示するための各種操作スイッチ３１の中のいずれかの操作片が操作されると、この操作片の操作に対応したＲ／ＣコードによるＲ／Ｃ信号を例えば赤外線無線によって送信出力するＲ／Ｃ信号発信部３２、等を備えている。
【００３４】
なお、図１に示したリモコン操作装置３０では、説明簡便のため、各種操作スイッチ３１は、“ＭＥＮＵ”で表わされたメニューキー３３，“ＥＮＴＥＲ”で表わされた登録キー３４，“ＳＥＬＥＣＴ”で表わされた方向キー３５だけが図示され、電源キー，チャンネルキー（テンキー）といったその他の各種操作スイッチについては、図示省略してある。また、各種操作スイッチ３１のこれらキー３３，３４，３５の構成も、図示した構成に限るものではなく、例えば、方向キー３５は、上・下方向操作キー３５ｕ，３５ｄ、左・右方向操作キー３５ｌ，３５ｒを備えた構成になっているが、トラックボール等のポインティングデバイスであってもよい。
【００３５】
次に、リモコン操作装置３０による自動時刻設定手段の作動設定に基づき、制御手段２０が行う時刻設定制御処理の詳細について説明する。
例えば、テレビジョン受信機１が起動状態（例えば、テレビ番組視聴状態）で、ユーザがリモコン操作装置３０のメニューキー３３を操作し、制御手段２０が、Ｒ／Ｃ信号受信手段１４を介して、リモコン操作装置３０のＲ／Ｃ信号発信部３２から発信された操作信号を受信すると、制御手段２０は視聴モードからメニュー設定モードになる。
【００３６】
制御手段２０は、メニュー設定モードになると、ＯＳＤ信号生成手段１２を制御してメインメニューの選択画面データをＯＳＤ信号合成手段１３に供給し、ＯＳＤ信号合成手段１３は、映像音声処理手段６から供給されている図示省略したテレビ番組画面に代えて、図２に示すＯＳＤ画面からなるメインメニュー選択画面SC100をディスプレイ８に表示させる。なお、この際、スピーカ９に供給されている前記テレビ番組の音声信号は、映像音声処理手段６によってミュートされる。
【００３７】
図２は、本実施の形態のテレビジョン受信機におけるメニュー設定モードの説明図である。
制御手段２０は、メニュー設定モードが設定されると、ユーザによるリモコン操作装置３０からのメインメニュー設定待ち状態になる。例えば、本実施の形態のテレビジョン受信機１では、このメインメニュー設定待ち状態では、“SLEEP TIMER（スリープタイマ）”，“AV ADJUST（視聴調整）”，“PRESET（プリセット）”，“CLOSED CAPTION（クローズドキャプション）”，“V-CHIP BLOCK（視聴制限）”，“SET UP（セットアップ）”といったメインメニューが、リモコン操作装置３０の方向キー３５の上・下方向操作キー３５ｕ，３５ｄの操作によって選択可能になっている。そして、登録キー３４の操作によって、前述の上・下方向各操作キー３５ｕ，３５ｄの操作によって選択された一のメインメニューが設定可能になっている。
【００３８】
また、本実施の形態のテレビジョン受信機では、制御手段２０は、上述したメインメニュー選択画面SC100に示すようなメニュー設定待ち状態では、ＯＳＤ信号生成手段１２を制御して、そのメニュー選択画面中の下側部分にリモコン操作装置３０の各キー３３，３４，３５のキー機能案内９１を表示するとともに、そのメニュー選択画面中の現在選択されているメニュー項目の側方には、そのインデックスとして矢印フラグ９２を表示する。
【００３９】
なお、本実施の形態の場合、上述したキー機能案内９１にも示されているように、制御手段２０は、メニュー設定モードが一旦設定された後のメニューキー３３の操作を、現在の設定モードの解除操作（EXIT）として取り扱う構成になっている。したがって、制御手段２０は、このメニュー設定モードのメインメニュー設定待ち状態で、メニューキー３３が再操作された場合は、現在設定されているメニュー設定モードを解除し、ＯＳＤ信号生成手段１２を制御してＯＳＤ信号合成手段１３によるメインメニュー選択画面SC100のディスプレイ８への表示を中止させるとともに、映像音声処理手段６から供給されるテレビ番組画面を、このメインメニュー選択画面SC100に代えてディスプレイ８に表示させる。そして、制御手段２０は、映像音声処理手段６によるテレビ番組の音声信号のミュートを解除する。
【００４０】
次に、制御手段２０は、このメニュー設定モードのメインメニュー選択操作待ち状態で、“SET UP”がユーザのリモコン操作装置３０の上・下方向操作キー３５ｕ，３５ｄの操作によって選択され、登録キー３４の操作によって設定されると、メニュー設定モードの中のセットアップメニュー設定モードに移行する。
【００４１】
制御手段２０は、このセットアップメニュー設定モードでは、ＯＳＤ信号生成手段１２を制御してセットアップメニューの選択画面データをＯＳＤ信号合成手段１３に供給し、ＯＳＤ信号合成手段１３は、メインメニュー選択画面SC100に代えて、セットアップメニュー選択画面SC200を表示する。例えば、本実施の形態のテレビジョン受信機１では、セットアップメニューとして、“BLUE SCREEN[OFF]（各種警告）”，“LANGUAGE（ＯＳＤ画面等の言語設定）”，“CH-SETTING（チャンネル設定）”，“CLOCK（時計、すなわち時刻計時手段１１の時刻設定）”が、リモコン操作装置３０の方向キー３５の上・下方向操作キー３５ｕ，３５ｄの操作によって選択可能になっており、登録キー３４の操作によって上・下方向操作キー３５ｕ，３５ｄの操作により選択された一のセットアップメニューが設定可能になっている。
【００４２】
なお、制御手段２０は、セットアップメニュー設定モードへの移行当初は、セットアップメニュー選択画面SC200に示すように、ＯＳＤ信号生成手段１２を制御してその矢印フラグ９２を“BLUE SCREEN”に対応させ、セットアップメニューとしてこの“BLUE SCREEN[OFF]”を選択している。
【００４３】
また、本実施の形態のセットアップメニュー選択画面SC200では、“RETURN”が上述した“BLUE SCREEN”，“CLOCK”等の各セットアップメニュー項目と同様に、リモコン操作装置３０の方向キー３５の上・下方向操作キー３５ｕ，３５ｄの操作によって選択可能になっている。
【００４４】
本実施の形態では、制御手段２０は、現在表示しているメニュー画面中の“RETURN”がリモコン操作装置３０の方向キー３５の上・下方向操作キー３５ｕ，３５ｄの操作によって選択され、登録キー３４の操作によって設定されると、現在表示しているメニュー画面の前に表示していたＯＳＤ画面のモードに戻り、ＯＳＤ信号生成手段１２を制御してそのＯＳＤ画面を表示させる。したがって、このセットアップメニュー設定モードの場合は、このセットアップメニュー選択画面SC200の“RETURN”が選択されると、制御手段２０は、前のメニュー設定モードに戻り、ＯＳＤ信号生成手段１２を制御してメインメニュー選択画面SC100を表示させる。
【００４５】
次に、制御手段２０は、このセットアップメニュー設定モードで、“CLOCK（時計設定）”がユーザのリモコン操作装置３０の上・下方向操作キー３５ｕ，３５ｄの操作によって選択され、登録キー３４の操作によって設定されると、時刻設定モードに移行する。
【００４６】
制御手段２０は、時刻設定モードでは、まずＯＳＤ信号生成手段１２を制御して時刻設定モードの時刻設定メニュー画面データをＯＳＤ信号合成手段１３に供給し、時刻設定メニュー画面SC300をディスプレイ８に表示する。
【００４７】
本実施の形態のテレビジョン受信機１では、時刻設定モードにおける時刻設定メニューとして、“AUTO CLOCK（現在時刻データの自動時刻取得による時刻設定）”，“MANUAL CLOCK（現在時刻データのマニュアル入力による設定）”，“OFF（時刻計時手段１１の停止）”が、リモコン操作装置３０の方向キー３５の上・下方向操作キー３５ｕ，３５ｄの操作によって、前述した“RETURN”とともに選択可能になっている。
【００４８】
図３は、本実施の形態のテレビジョン受信機における時刻設定モードの説明図である。
なお、図３中に示した時刻設定メニュー画面SC300は、図２に示した時刻設定メニュー画面SC300と同一である。また、制御手段２０は、時刻設定モードへの移行当初は、時刻設定メニュー画面SC300に示すように、ＯＳＤ信号生成手段１２を制御してその矢印フラグ９２を“AUTO CLOCK”に対応させ、時刻設定方法として“AUTO CLOCK”を選択している。
【００４９】
次に、制御手段２０は、この時刻設定モードの時刻設定メニューで、メニュー画面SC300のように“AUTO CLOCK”を選択している状態で、ユーザによるリモコン操作装置３０の登録キー３４が操作されると、時刻設定モードの中の自動時刻設定モードに移行する。
【００５０】
なお、この自動時刻設定モードへの移行に当たっては、本実施の形態のテレビジョン受信機はチューナ３を１つしか備えていないため、制御手段２０は、前述のメニュー設定モードが設定されメインメニュー画面SC100が表示される直前にユーザが視聴していたテレビジョン番組の選局データ（チャンネル）を選局制御部２２から取得し、この選局データを視聴モード復帰選局データとして、メモリ（ＲＡＭ）に一時保存する。
【００５１】
制御手段２０は、この自動時刻設定モードでは、まずＯＳＤ信号生成手段１２を制御して、ＥＤＳ信号の時間信号を送信しているテレビジョン放送の選局受信メニュー画面データをＯＳＤ信号合成手段１３に供給し、選局受信メニュー設定画面SC310をディスプレイ８に表示させる。
【００５２】
本実施の形態のテレビジョン受信機１では、自動時刻設定モードにおける選局受信メニューとして、“EDS CH SET（ＥＤＳ信号を送信している放送チャンネルの選局受信方法）”，“EDS CH（ＥＤＳ信号を送信している放送チャンネルの選局受信データの設定入力）”，“START（自動時刻設定処理の開始指示）”が、リモコン操作装置３０の方向キー３５の上・下方向操作キー３５ｕ，３５ｄの操作によって、前述した“RETURN”とともに選択可能になっている。
【００５３】
ここで、選局受信メニューにおける“EDS CH SET”，“EDS CH”，“START”は、前述したメニュー画面SC100，SC200，SC300の場合とは異なり、単なる選択メニューではなく、自動時刻設定モードの際のユーザ設定・確認項目になっている。
【００５４】
“EDS CH SET”では、ＥＤＳ信号の時間信号を送信しているテレビジョン放送の選局受信を自動で行うか（“AUTO”）、又はユーザが設定した選局受信データ（放送チャンネル）についてのみ行うか（“MANUAL”）を設定する。このＥＤＳ信号の時間信号を送信しているテレビジョン放送の選局受信を自動選局受信モード“AUTO”にするか、マニュアル選局受信モード“MANUAL”にするかの切り換えは、例えばリモコン操作装置３０の方向キー３５の左・右方向操作キー３５ｌ，３５ｒの操作によって行う。
【００５５】
“EDS CH”は、“EDS CH SET”でユーザによる選局受信データのマニュアル設定入力（“MANUAL”）が選択された場合、ユーザが、リモコン操作装置３０の図示省略したテンキーによって、選局受信データを設定するための項目である。“START”は、ユーザが自動時刻設定処理の開始を指示するための項目である。
【００５６】
そのため、制御手段２０は、自動時刻設定モードへの移行当初は、選局受信メニュー設定画面SC310に示すように、ＯＳＤ信号生成手段１２を制御してその矢印フラグ９２を“EDS CH SET”に対応させ、ＥＤＳ信号の時間信号を送信しているテレビジョン放送の選局受信方法として、上述した自動選局受信モード“AUTO”を設定している。
【００５７】
したがって、ユーザは、この自動選局受信モード“AUTO”でよければ、リモコン操作装置３０の方向キー３５の上・下方向操作キー３５ｕ，３５ｄの操作によって、選局受信メニュー設定画面SC311を介して、選局受信メニュー設定画面SC312に示すように自動時刻設定処理の開始を指示するための“START”を矢印フラグ９２で選択した上で、登録キー３４を操作する。これによって、制御手段２０は、自動選局受信モード“AUTO”による自動時刻設定処理“AUTO CLOCK”を、その自動時刻設定部２１に指示して、時刻データ取得処理を開始する。
【００５８】
なお、この“EDS CH SET”で自動選局受信モード“AUTO”が選択されている場合は、選局受信メニュー設定画面SC310〜SC312に示すように、この間、“EDS CH”の表示は“---（設定無し状態）”になっている。そして、この状態では、“EDS CH”をリモコン操作装置３０の方向キー３５の上・下方向操作キー３５ｕ，３５ｄの操作によって選択しても、制御手段２０は、上述したテンキーによる選局受信データのマニュアル設定を、受け付けない構成になっている。
【００５９】
これに対し、ユーザが“EDS CH SET”で自動時刻設定モード“AUTO CLOCK”のマニュアル選局受信モード“MANUAL”を選択した場合、制御手段２０は、自動時刻設定モード“AUTO CLOCK”の自動選局受信モード“AUTO”を、マニュアル選局受信モード“MANUAL”に設定変更する。また、制御手段２０は、ＯＳＤ信号生成手段１２を制御して、自動選局受信モード“AUTO”の選局受信メニュー設定画面SC310を、マニュアル選局受信モード“MANUAL”の選局受信メニュー設定画面SC320に切り換える。
【００６０】
制御手段２０は、マニュアル選局受信モード“MANUAL”への切り換え当初は、選局受信メニュー設定画面SC320に示すように、ＯＳＤ信号生成手段１２を制御してその矢印フラグ９２を“EDS CH SET”に対応させた状態で、“EDS CH”に、図示せぬメモリに保存されている、従前に自動時刻設定処理を行った際にＥＤＳ信号の時間信号に基づき時刻データを取得したテレビジョン放送の選局受信データ（図示した選局受信メニュー設定画面SC320の場合は、“124”チャンネル）を、今回選局受信する放送チャンネルの設定データとして自動的に設定する。
【００６１】
したがって、ユーザは、このマニュアル選局受信モード“MANUAL”で、今回選局受信する放送チャンネルの設定データ（この場合、“124”チャンネル）に変更が無ければ、選局受信メニュー設定画面SC321を介して、選局受信メニュー設定画面SC322に示すように自動時刻設定処理の開始を指示するための“START”を矢印フラグ９２で選択した上で、登録キー３４を操作する。これによって、制御手段２０は、マニュアル選局受信モード“MANUAL”による自動時刻設定処理“AUTO CLOCK”を、その自動時刻設定部２１に指示して開始する。また、ユーザは、今回選局受信する選局受信データ（この場合、“124”チャンネル）に変更があれば、自動設定メニュー画面SC321に示すように、“EDS CH”を矢印フラグ９２で選択した上で、テンキーによって所望の放送チャンネルの選局受信データに設定変更する。その上で、同様に“START”項目を矢印フラグ９２で選択し、登録キー３４を操作してマニュアル選局受信モード“MANUAL”による自動時刻設定処理“AUTO CLOCK”を開始する。
【００６２】
制御手段２０の自動時刻設定部２１は、自動時刻設定処理“AUTO CLOCK”の開始指示により、選局制御部２２及びＥＤＳ信号取得手段制御部２３を制御して、次のような自動時刻設定処理を行う。
【００６３】
自動時刻設定処理“AUTO CLOCK”でマニュアル選局受信モード“MANUAL”が選択された場合には、自動時刻設定部２１は、設定された選局受信データの受信を選局制御部２２に指示し、選局制御部２２によってチューナ３を制御してこの選局受信データのテレビジョン放送の受信を行わせる。そして、自動時刻設定部２１は、選局制御部２２からのこの選局受信データの放送チャンネルの受信検出を受けて、後述するＥＤＳ信号の時間信号による時刻データの取得が成功したか、又は失敗したかについての確認処理を、ＥＤＳ信号取得手段制御部２３に指示する。
【００６４】
これに対し、自動選局受信モード“AUTO”が選択されている場合には、自動時刻設定部２１は、受信可能な放送チャンネルの自動取得を選局制御部２２に指示し、選局制御部２２はチューナ３を制御して、例えば放送周波数の低い順に受信可能な放送チャンネルの受信を行わせる。そして、自動時刻設定部２１は、選局制御部２２が一の放送チャンネルを受信検出する毎に、後述するＥＤＳ信号の時間信号による時刻データの取得が成功したか、又は失敗したかについての確認処理をＥＤＳ信号取得手段制御部２３に指示する。その上で、自動時刻設定部２１は、ＥＤＳ信号取得手段制御部２３によって、当該検出した一の放送チャンネルにＥＤＳ信号の時間信号が無い等、ＥＤＳ信号の時間信号による時刻データの取得失敗が確認された場合は、次の受信可能な放送チャンネルの自動取得を選局制御部２２に指示し、また、次の放送チャンネルの受信検出毎に、ＥＤＳ信号取得手段制御部２３によって同様な確認処理を行わせる。
【００６５】
したがって、自動時刻設定部２１は、自動選局受信モード“AUTO”が選択されている場合は、上述した選局制御部２２による自動選局処理及びＥＤＳ信号取得手段制御部２３による確認処理からなる一連の処理を、ＥＤＳ信号の時間信号による時刻データが取得できるまで、受信可能な放送チャンネル全てについて行うことになる。
【００６６】
ここで、上述したＥＤＳ信号取得手段制御部２３による受信チャンネル毎のＥＤＳ信号の時間信号による時刻データの取得成功又は取得失敗の確認処理について、図４に基づき説明する。
【００６７】
図４は、本実施の形態のテレビジョン受信機において、放送チャンネルを受信する毎にＥＤＳ信号取得手段制御部が行うＥＤＳ信号の時間信号に基づく時刻データの取得確認処理のフローチャートである。
【００６８】
ＥＤＳ信号取得手段制御部２３は、確認処理の指示を自動時刻設定部２１から受けると、時刻取得開始の準備として、自身に備えられた時刻取得処理ループ時間カウンタ、スタートコード状態カウンタ、及び時刻データ無し時間カウンタを、それぞれリセットする（ステップＳ101）。
【００６９】
ここで、時刻取得処理ループ時間カウンタは、一のテレジョン放送の受信毎にＥＤＳ信号の時間信号の受信までの制限時間を計測する。スタートコード状態カウンタは、ＥＤＳ信号の時間信号のスタートコード情報の受信回数を計数する。時刻データ無し時間カウンタは、ＥＤＳ信号の時間信号を受信してから、当地の現在時刻の時刻データを取得するまでの制限時間を計測する。
【００７０】
なお、本実施の形態のテレビジョン受信機１では、この時刻取得処理ループ時間カウンタの制限時間は、時刻データ無し時間カウンタの制限時間よりも長く設定されている。すなわち、時刻データ無し時間カウンタが計測する制限時間は、ＥＤＳ信号の時間信号の送信間隔をもとに予め設定されている。また、時刻データ無し時間カウンタが計測する制限時間は、ＥＤＳ信号の時間信号として送信される、［０７ｈ，０１ｈ］のスタートコード情報で始まるグリニッジ時間の時刻データと、［０７ｈ，０４ｈ］のスタートコード情報で始まるグリニッジ時間に対する当地の地域時間差や夏時間の有無を示した地域時間データとの送信間隔をもとに予め設定されている。この結果、上述のように、時刻データ無し時間カウンタの制限時間を時刻取得処理ループ時間カウンタの制限時間よりも短く設定することにより、選局受信したテレビジョン放送が、ＥＤＳ信号の時間信号が付加されていないテレビジョン放送でそもそも時刻データが取得できないこと、さらにＥＤＳ信号の時間信号が付加されているテレビジョン放送であっても、グリニッジ時間の時刻データ又は地域時間データの一方のみしか時間信号として送信されず、時刻データが取得できないことを、それぞれ迅速に判別することができるようになっている。
【００７１】
ＥＤＳ信号取得手段制御部２３は、時刻取得開始の準備が完了すると、直ちにＥＤＳ信号取得手段１０に起動命令を送信し、ＥＤＳ信号取得手段１０にＥＤＳ信号の取得を開始させるとともに（ステップＳ102）、時刻取得処理ループ時間カウンタ及び時刻データ無し時間カウンタを計時開始する（ステップＳ103）。
【００７２】
その上で、ＥＤＳ信号取得手段制御部２３は、時刻取得処理ループ時間カウンタ及び時刻データ無し時間カウンタの計時を読み出し、それぞれ予め設定されている制限時間を経過しているか否かをチェックするとともに（ステップＳ104，Ｓ105）、ＥＤＳ信号取得手段１０がＥＤＳ信号のスタートコード情報を受信しているか否かをチェックする（ステップＳ106）。
【００７３】
そして、それぞれ制限時間の範囲内で、ＥＤＳ信号取得手段１０がＥＤＳ信号のスタートコード情報を受信している場合には、ＥＤＳ信号取得手段制御部２３は、ＥＤＳ信号取得手段１０から取得したスタートコード情報の提供を受け（ステップＳ107）、スタートコード情報がＥＤＳ信号の時間信号のスタートコード情報であるか否かを判別する（ステップＳ108）。具体的には、ＥＤＳ信号取得手段制御部２３は、ＥＤＳ信号取得手段１０から取得したスタートコード情報が、一連の［０７ｈ，０１ｈ］の１６進数コードで表わされるグリニッジ時間の時間信号のスタートコード情報であるか否か、又は一連の［０７ｈ，０４ｈ］の１６進数コードで表わされる地域時間の時間信号のスタートコード情報であるか否かを判別する。
【００７４】
取得したスタートコード情報がＥＤＳ信号の時間信号のスタートコード情報である場合には、ＥＤＳ信号取得手段制御部２３は、スタートコード状態カウンタの計数値を読み出し、この読み出した計数値を“１”だけインクリメントしてこれを新たな計数値として更新する（ステップＳ109）。したがって、取得したスタートコード情報がＥＤＳ信号の時間信号のスタートコード情報の初回取得である場合は、スタートコード状態カウンタの更新された計数値は“１”になる。
【００７５】
その上で、ＥＤＳ信号取得手段制御部２３は、スタートコード状態カウンタの計数値（更新された計数値）に基づき、当該受信チャンネルについてそのＥＤＳ信号の時間信号のスタートコード情報の受信が２回目であるか否かを判別する（ステップＳ110）。
【００７６】
ここで、ＥＤＳ信号取得手段制御部２３は、当該受信チャンネルについてそのＥＤＳ信号の時間信号のスタートコード情報の受信が２回目である場合には、第１のケースとして、１回目受信（前回受信）のＥＤＳ信号の時間信号のスタートコード情報がグリニッジ時間の時間信号のスタートコード情報であり、かつ２回目受信（今回受信）のＥＤＳ信号の時間信号のスタートコード情報が地域時間の時間信号のスタートコード情報であるか、又は第２のケースとして、前記第１ケースと順番が反対に、１回目受信が地域時間の時間信号のスタートコード情報であり、かつ２回目受信がグリニッジ時間の時間信号のスタートコード情報の受信であるか、を確認する（ステップＳ111）。
【００７７】
そして、上記した第１又は第２のケースいずれにも該当しない場合は（ステップＳ112）、ＥＤＳ信号取得手段制御部２３は、今回の２回目受信を無かったことにして、前述したステップＳ104〜Ｓ106で説明した、時刻取得処理ループ時間又は時刻データ無し時間がそれぞれ制限時間を経過しているか否かのチェック処理、及びスタートコード情報の受信チェック処理に戻る。
【００７８】
ところで、ＥＤＳ信号取得手段制御部２３は、前述のステップＳ110の判別で、ＥＤＳ信号の時間信号のスタートコード情報の受信が２回目でなく１回目である場合は、時刻データ無し時間カウンタの計時値をクリアして計時を再開させ、今回受信した初めてのＥＤＳ信号の時間信号のスタートコード情報に続く情報データ（時刻データ）を取得した上、前述したステップＳ104〜Ｓ106の一連のチェック処理に戻る（ステップＳ114）。
【００７９】
また、ＥＤＳ信号取得手段制御部２３は、前述のステップＳ112の判別で、第１又は第２のケースいずれかに該当する場合は、今回受信した２回目のＥＤＳ信号の時間信号のスタートコード情報に続く情報データを取得した上で、自動時刻設定部２１に取得したグリニッジ時間の時間信号の情報データ、及び地域時間の時間信号の情報データを供給し、ＥＤＳ信号の時間信号の中の“００秒”を示す秒リセットフラグを取得するまで、ＥＤＳ信号の時間信号の取得を続行する（ステップＳ115）。
【００８０】
これにより、自動時刻設定部２１は、時刻計時手段１１の計時時刻（現在時刻）を、ＥＤＳ信号取得手段制御部２３から取得したグリニッジ時間の時間信号の情報データ、及び地域時間の時間信号の情報データをもとに修正設定し直し、現在時刻の較正を行うことになる。そして、自動時刻設定部２１は、“００秒”を示す秒リセットフラグの供給によって、時刻計時手段１１の計時を再開させる。
【００８１】
また、ＥＤＳ信号取得手段制御部２３は、前述のステップＳ108の判別で、受信したスタートコード情報がＥＤＳ信号の時間信号のスタートコード情報ではない場合も、前述したステップＳ104〜Ｓ106の一連のチェック処理に戻る。
【００８２】
これらに対し、ＥＤＳ信号取得手段制御部２３は、前述のステップＳ104〜Ｓ106の一連のチェック処理において、時刻取得処理ループ時間カウンタ又は時刻データ無し時間カウンタいずれかの計時が、対応する制限時間を経過している場合には（ステップＳ105）、各カウンタの計時を停止し、ＥＤＳ信号取得手段１０に起動停止命令を送信するとともに、当該放送チャンネルについてのＥＤＳ信号の時間信号による時刻データの取得失敗を自動時刻設定部２１に供給する（ステップＳ113）。
【００８３】
これにより、ＥＤＳ信号取得手段制御部２３は、選局受信したテレビジョン放送のチャンネルの垂直帰線期間に、ＥＤＳ信号が含まれていない場合、ＥＤＳ信号が含まれていても時間信号が含まれていない場合、及びＥＤＳ信号の時間信号が含まれていても時間信号を受信するまでに時間がかかり過ぎる場合は、時刻取得処理ループ時間カウンタの制限時間の計時によって、当該選局受信したテレビジョン放送のＥＤＳ信号の時間信号による時刻データ取得の失敗を、迅速にかつ正確に判定することができる。さらに、ＥＤＳ信号取得手段制御部２３は、選局受信したテレビジョン放送の垂直帰線期間にＥＤＳ信号の時間信号が含まれている場合であっても、その時間信号がグリニッジ時間又は地域時間の一方だけの情報データである場合は、時刻データ無し時間カウンタの制限時間の計時によって、当該選局受信したテレビジョン放送のＥＤＳ信号の時間信号による時刻データ取得の失敗を、迅速にかつ正確に判定することができる。
【００８４】
そして、ＥＤＳ信号取得手段制御部２３から当該放送チャンネルについてのＥＤＳ信号の時間信号による時刻データの取得失敗を受けた自動時刻設定部２１は、自動選局受信モード“AUTO”が選択されている場合には、次の受信可能な放送チャンネルの自動取得を選局制御部２２に指示し、次の受信可能な放送チャンネルの受信を選局制御部２２が検出した場合は、この検出した放送チャンネルについて上記説明した図４に示す確認処理を行う。また、自動時刻設定部２１は、マニュアル選局受信モード“MANUAL”が選択されている場合には、マニュアル選局受信モード“MANUAL”による今回の自動時刻設定処理は失敗したと判定する。
【００８５】
したがって、自動時刻設定部２１は、マニュアル選局受信モード“MANUAL”では、選局制御部２２から設定された選局受信データの受信検出が供給されない場合や、選局制御部２２からの選局受信データの受信検出に基づき、図４に示す取得確認処理をＥＤＳ信号取得手段制御部２３が行っても、ＥＤＳ信号取得手段制御部２３からＥＤＳ信号の時間信号による時刻データの取得失敗が供給された場合は、マニュアル選局受信モード“MANUAL”による今回の自動時刻設定処理は失敗したものと判定する。
【００８６】
また、自動時刻設定部２１は、自動選局受信モード“AUTO”では、選局制御部２２から次の受信可能な放送チャンネルの受信検出が供給されなくなり、それまでに図４に示す取得確認処理によってＥＤＳ信号取得手段制御部２３からグリニッジ時間の時間信号の内容データ及び地域時間の時間信号の内容データが供給されていない場合は、自動選局受信モード“AUTO”による今回の自動時刻設定処理は失敗したものと判定する。
【００８７】
図３に戻り、画面SC330は、図４に示した受信チャンネル毎のＥＤＳ信号の時間信号による時刻データの取得確認処理の実行中に、制御手段２０がＯＳＤ信号生成手段１２を制御してＯＳＤ信号合成手段１３を介してディスプレイ８に表示させる画面である。すなわち、画面SC330は、自動時刻設定処理において、グリニッジ時間及び地域時間の両方によるＥＤＳ信号の時間信号を放送しているテレビジョン放送のチャンネルの探索中に表示される画面である。この場合、この実行中画面SC330には、現在、取得確認処理を実行している最中の受信選局チャンネル（図示の場合は、“124”チャンネル）が表示され、リモコン装置３０の方向キー３５の左方向操作キー３５ｌが、この自動時刻設定処理の処理中止のための設定キーとして機能することが案内されている。
【００８８】
そして、制御手段２０は、自動時刻設定部２１が、自動選局受信モード“AUTO”又はマニュアル選局受信モード“MANUAL”にかかわらず、自動時刻設定処理でグリニッジ時間及び地域時間の両方によるＥＤＳ信号の時間信号を放送しているテレビジョン放送のチャンネルを選局でき、時刻データの取得に成功した場合には、ＯＳＤ信号生成手段１２を制御してＯＳＤ信号合成手段１３を介して、前述の実行中画面SC330から自動時刻設定処理の処理中止のための左方向操作片３５ｌの機能案内が消え、その代わりに自動時刻設定部２１によってこの取得したＥＤＳ信号の時間信号による時刻データ基づき設定し直された時刻計時手段１１の計時時刻（現在時刻）を表示された時刻データ取得成功画面SC340を、ディスプレイ８に表示させる。  
【００８９】
その後、制御手段２０は、自動時刻設定部２１がＥＤＳ信号取得手段制御部２３による“００秒”丁度を示す秒リセットフラグの取得によって時刻計時手段１１の計時を再開させると、今回、グリニッジ時間及び地域時間の両方を含むＥＤＳ信号の時間信号を取得できたテレビジョン放送の選局受信データ（チャンネル）を、メモリに取得成功選局受信データとして保存する一方、前述の視聴モード復帰選局データとしてメモリに一時保存されているテレビジョン放送のチャンネル（選局受信データ）を、選局制御部２２に選局指示する。
【００９０】
そして、制御手段２０は、選局制御部２２からこの視聴モード復帰選局データによるテレビジョン放送の受信検出を受けると、自身のメニュー設定モードの設定を解除し、ＯＳＤ信号生成手段１２を制御してＯＳＤ信号合成手段１３を介し、時刻計時手段１１から取得した現在時刻、選局制御部２２に選局指示したチャンネル（選局データ）が合成表示された当該選局指示したチャンネルの番組画面SC350をディスプレイ８に表示させる。
【００９１】
これに対し、制御手段２０は、自動選局受信モード“AUTO”又はマニュアル選局受信モード“MANUAL”による今回の自動時刻設定処理の失敗が自動時刻設定部２１によって判定された場合には、ＯＳＤ信号生成手段１２を制御してＯＳＤ信号合成手段１３を介し、自動選局受信モード“AUTO”による自動時刻設定処理の失敗通知画面SC360、又はマニュアル選局受信モード“MANUAL”による自動時刻設定処理の失敗通知画面SC370を、ディスプレイ８に表示させる。そして、制御手段２０は、図５に示す自動時刻設定処理の失敗時のメニュー遷移処理を実行する。
【００９２】
図５は、本実施の形態のテレビジョン受信機における、自動時刻設定処理の失敗時のメニュー遷移処理のフローチャートである。
この場合、制御手段２０は、自動時刻設定処理の失敗すると、その対策メニューのメニュー遷移モードに移行する。そして、制御手段２０は、メニュー遷移モードに移行すると、対策メニューへの遷移の許可状態を確認する（ステップＳ201）。
【００９３】
ここで、対策メニューへの遷移の許可状態の確認は、例えば、テレビジョン受信機１のユーザが通常では操作できないようにテレビジョン受信機１に備えられているサービス対応モード（特殊機能設定モード）によって、ＯＳＤの禁止やメニュー操作禁止が予め設定されているか否かを、制御手段２０が確認することによって行う（ステップＳ202）。
【００９４】
この確認を行う理由は、例えば、ＯＳＤの禁止やメニュー操作禁止が予め設定されている場合には、この対策メニューに移行しても、ユーザはリモコン装置３０をそのために操作することができないといった等の誤動作が発生するためである。
【００９５】
そのため、制御手段２０は、このサービス対応モードの設定においてＯＳＤの禁止やメニュー操作禁止が予め設定されている場合は、このメニュー遷移モードに移行前の図３に示した自動時刻設定処理の失敗通知画面SC360，SC370を表示させている、自動選局受信モード“AUTO”又はマニュアル選局受信モード“MANUAL”による自動時刻設定モードの終了状態に戻り、メニュー遷移モードを終了する。
【００９６】
一方、サービス対応モードの設定においてＯＳＤの禁止やメニュー操作禁止が予め設定されていなく、対策メニューへの遷移の許可状態にある場合は、制御手段２０は、行われた自動時刻設定モード（自動時刻設定処理）“AUTO CLOCK”における選局受信モードが自動選局受信モード“AUTO”であったか、又はマニュアル選局受信モード“MANUAL”であったかを確認する（ステップＳ203，Ｓ204）。
【００９７】
この確認の結果、マニュアル選局受信モード“MANUAL”による自動時刻設定処理で、設定入力した選局データのテレビジョン放送についてＥＤＳ信号の時間信号による自己データの取得に失敗し、自動時刻設定処理が失敗と判別した場合には、制御手段２０は、その対策メニューとして、自動時刻設定モードの自動時刻設定処理“AUTO CLOCK”でマニュアル選局受信モード“MANUAL”が選択され、“EDS CH”による選局受信データの設定変更が可能な状態に強制的に遷移し、メニュー遷移モードを終了する（ステップＳ205）。
【００９８】
これにより、制御手段２０は、ＯＳＤ信号生成手段１２を制御してＯＳＤ信号合成手段１３を介し、図３に示した自動時刻設定モード“AUTO CLOCK”のマニュアル選局受信モード“MANUAL”の選局受信メニュー設定画面SC320をディスプレイ８に表示させる。
【００９９】
したがって、この場合、ユーザは、ディスプレイ８に表示された選局受信メニュー設定画面SC320によって、リモコン操作装置３０を操作して、選局受信データの設定変更を直ちに行い、マニュアル選局受信モード“MANUAL”による自動時刻設定処理を再び開始させることができ、その操作性が向上することになる。
【０１００】
なお、上記説明では、制御手段２０は、“EDS CH”による選局受信データの設定変更が可能な状態に強制的に遷移した場合に、選局受信メニュー設定画面SC320をディスプレイ８に表示させる構成としたが、選局受信メニュー設定画面SC321を表示させる構成としてもよい。
【０１０１】
さらに、上記説明では、マニュアル選局受信モード“MANUAL”による自動時刻設定処理が失敗した場合に、制御手段２０は、その対策メニューとして、自動時刻設定モードの自動時刻設定処理“AUTO CLOCK”でマニュアル選局受信モード“MANUAL”が選択され、“EDS CH”による選局受信データの設定変更が可能な状態に強制的に遷移されるものとして説明したが、自動時刻設定モードの自動時刻設定処理“AUTO CLOCK”で自動選局受信モード“AUTO”が選択され、選局受信データのマニュアル設定しなくとも、ＥＤＳ信号の時間信号が付加されているテレビジョン放送を自動的に探索可能な状態に強制的に遷移するようにしてもよい、この場合は、制御手段２０は、ＯＳＤ信号生成手段１２を制御してＯＳＤ信号合成手段１３を介し、図３に示した自動時刻設定モード“AUTO CLOCK”の自動選局受信モード“AUTO”の選局受信メニュー設定画面SC310〜SC312の中のいずれか画面をディスプレイ８に表示させることになる。この自動時刻設定モードの自動時刻設定処理“AUTO CLOCK”で自動選局受信モード“AUTO”に強制遷移する場合では、ユーザは、選局受信データのマニュアル設定し直さなくとも、自動時刻設定処理を行うことができる。
【０１０２】
また、前述のステップＳ202，Ｓ203の確認の結果、自動選局受信モード“AUTO”による自動時刻設定処理で、設定入力した選局データのテレビジョン放送についてＥＤＳ信号の時間信号による時刻データの取得に失敗し、自動時刻設定処理が失敗と判別した場合には、制御手段２０は、その対策メニューとして、図３に示した時刻設定モードの時刻設定メニュー画面SC300で、ユーザが画面SC301に示すように“MANUAL CLOCK”を選択した上で登録キー３４を操作することによって設定されるマニュアル時刻設定モードに強制的に遷移し、メニュー遷移モードを終了する（ステップＳ206）。
【０１０３】
制御手段２０は、このマニュアル時刻設定モードの移行によって、ＯＳＤ信号生成手段１２を制御してＯＳＤ信号合成手段１３を介し、図３に示した時刻データ設定メニュー画面SC380をディスプレイ８に表示させる。
【０１０４】
マニュアル時刻設定モードにおける時刻データ設定メニューとしては、“TIME[00:00AM]（時刻計時手段１１の計時時刻（すなわち、現在時刻））”，“DST[OFF]（夏時間の有無）”が、リモコン操作装置３０の方向キー３５の上・下方向操作キー３５ｕ，３５ｄの操作によって、前述した“RETURN”とともに選択可能になっている。そして、マニュアル時刻設定モードの移行当初は、インデックスとして矢印フラグ９２は“TIME[00:00AM]”の側方に位置し、時刻計時手段１１の計時時刻（現在時刻）が、リモコン装置３０のテンキー等に操作よってすぐに設定可能な状態になっている。
【０１０５】
したがって、自動時刻設定処理が失敗と判別した場合は、テレビジョン放送の垂直帰線期間に付加されているＥＤＳ信号の時間信号以外の方法で取得した現在時刻を、リモコン装置３０のテンキー等に操作よってすぐに入力することができ、その上で登録キー３４を操作することによって、制御手段２０により時刻計時手段１１の計時時刻をマニュアルで較正（修正）することができる。
【０１０６】
これにより、自動選局受信モード“AUTO”による自動時刻設定処理で、テレビジョン放送垂直帰線期間に付加されているＥＤＳ信号の時間信号による時刻データの取得に失敗し、自動時刻設定処理が失敗した場合であっても、上記のようにマニュアル時刻設定モードにおける時刻データ設定メニューが自動的に案内されるので、ユーザにとっての操作性もよく、時刻計時手段１１の計時時刻が較正（修正）されないままとなって、予め設定した所望時刻になっても、装置を自動的に正確に作動又は停止させることができなくなってしまうことを防止できる。
【０１０７】
本実施の形態のテレビ受信機１は、以上説明したとおりであるが、本発明のテレビ受信装置は上述したテレビ受信機に限るものではなく、テレビ番組の垂直帰線期間に付加されている付加信号の時刻信号に基づき時刻計時手段の計時時刻を自動設定する自動時刻設定手段を備えているテレビ受信装置であれば、例えば、ビデオテープレコーダやＤＶＤレコーダ等の記録機器、テレビ番組受信チューナを備えたパーソナルコンピュータや携帯電話装置等であってもよい。
【０１０８】
さらに、本実施の形態のテレビ受信機１では、自動時刻設定部２１は、リモコン装置３０による自動時刻設定モードのマニュアル設定により作動する構成としたが、機器の電源スイッチがＯＦＦされたときに自動作動するような構成であってもよい。そして、このようなテレビ受信機１の場合は、機器の電源スイッチがＯＮされた場合に、先の電源スイッチのＯＦＦ時に実行された自動時刻設定部２１による自動時刻設定処理の失敗の結果を確認して、メニュー遷移モードが自動的に起動するようにすればよい。
【図面の簡単な説明】
【０１０９】
【図１】本発明の一実施の形態としてのテレビジョン受信機の構成を示すブロック図である。
【図２】本実施の形態のテレビジョン受信機におけるメニュー設定モードの説明図である。
【図３】本実施の形態のテレビジョン受信機における時刻設定モードの説明図である。
【図４】本実施の形態のテレビジョン受信機において、放送チャンネルを受信する毎にＥＤＳ信号取得手段制御部が行うＥＤＳ信号の時間信号に基づく時刻データの取得確認処理のフローチャートである。
【図５】本実施の形態のテレビジョン受信機における、自動時刻設定処理の失敗時のメニュー遷移処理のフローチャートである。
【符号の説明】
【０１１０】
１  テレビジョン受信機
２  アンテナ
３  チューナ
４  中間周波数信号増幅手段
５  検波手段
６  映像音声処理手段
７  出力手段
８  ディスプレイ
９  スピーカ
１０  ＥＤＳ信号取得手段
１１  時刻計時手段
１２  ＯＳＤ信号生成手段
１３  ＯＳＤ信号合成手段
１４  Ｒ／Ｃ信号受信手段
２０  制御手段
２１  自動時刻設定部
２２  選局制御部
２３  ＥＤＳ信号取得手段制御部
３０  リモコン操作装置
３１  操作スイッチ
３２  Ｒ／Ｃ信号発信部
９１  キー機能案内
９２  矢印フラグ
【図１】
2005159458.tif 000003
【図２】
2005159458.tif 000004
【図３】
2005159458.tif 000005
【図４】
2005159458.tif 000006
【図５】
2005159458.tif 000007